(57)【要約】【課題】プッシュスイッチの操作ボタンの照光のための導光を単体で効果的に行える反転ばね付きシートおよびこれを備えたプッシュスイッチを提供すること。【解決手段】反転バネ11と、この反転バネ11の周囲に配置され回路基板3に粘着されるスペーサ12と、反転バネ11及びスペーサ12に粘着された透光シート15と、この透光シート15の反転バネ11とは反対側の面に粘着された導光シート16とを備える。導光シート16が発光素子7からの光を導入する光導入部19を有する。スペーサ12と透光シート15の粘着及び導光シート16と透光シート15の粘着は透光性を有する粘着剤による。スペーサ12及び導光シート16は第１，第２反射層14，18を有する。光導入部19からの光が第１，第２反射層14，18間で光が反射しつつ導光シート16内およびスペーサ12内に広がり、導光シート16の光放射孔20から操作ボタン2に放射される。【選択図】図１
2008269927.tif 000002
【特許請求の範囲】
【請求項１】
可動接点としての反転バネと、この反転バネを反転方向に押圧可能な操作ボタンと、前記反転バネの反転時にその反転バネを介して導通し前記反転バネの復元時に断絶する第１，第２固定接点、および、前記操作ボタンの照光のための発光素子が実装された回路基板とを備えたプッシュスイッチに採用される反転バネ付きシートであって、
前記反転バネと、
この反転バネの周囲に配置され前記回路基板に粘着されるスペーサと、
前記反転バネおよび前記スペーサに積層され粘着された伸縮性を有する透光シートと、
この透光シートにおける前記反転バネとは反対側の面に積層され粘着された導光シートとを備え、
前記スペーサと前記透光シートとの粘着、および、前記導光シートと前記透光シートとの粘着が、透光性を有する粘着剤により行われ、
前記スペーサが、透光性を有するスペーサ本体と、このスペーサ本体における前記透光シート側とは反対側の面に沿って形成され、前記スペーサ本体方向に光を反射可能な第１反射層とを備え、
前記導光シートが、透光性を有する導光シート本体と、この導光シート本体における前記透光シート側とは反対側の面に沿って形成され、前記導光シート本体の方向に光を反射可能な第２反射層とを備え、
前記導光シート本体が、前記発光素子からの光を導入する光導入部と、前記反転バネの近傍において前記操作ボタンの方向に光を放射することが可能な光放射部とを備えたことを特徴とする反転バネ付きシート。
【請求項２】
請求項１に記載の発明において、前記第１，第２反射層が、金属の蒸着により設けられたものであることを特徴とする反転バネ付きシート。
【請求項３】
請求項１に記載の発明において、前記第１，第２反射層が、光反射性を有するシートを、透光性を有する粘着剤で粘着することによって設けられたものであることを特徴とする反転バネ付きシート。
【請求項４】
請求項３に記載の発明において、
前記第２反射層が光反射性を有する反射シートからなり、前記導光シートにその厚さ方向に貫通する導光孔が設けられ、この導光孔が前記第１，第２反射層間に位置することを特徴とする反転バネ付きシート。
【請求項５】
請求項１〜４のいずれか１項に記載の発明において、前記透光シートと前記反転バネとの粘着が透光性を有する粘着剤で行なわれ、前記反転バネの面が光反射性を有することを特徴とする反転バネ付きシート。
【請求項６】
請求項１〜５のいずれか１項に記載の反転バネ付きシートを備えたことを特徴とするプッシュスイッチ。
【発明の詳細な説明】
【技術分野】
【０００１】
本発明は、携帯電話等の電気器具の操作盤の構成部品であって、可動接点としての反転バネと、この反転バネに対応する固定接点が実装された回路基板に反転バネを固定するためのシートと、照光のための導光を行う導光部材とが一体化された反転バネ付きシートおよびこれを備えたプッシュスイッチに関する。
【背景技術】
【０００２】
携帯電話等の電子機器に備えられる入力装置は、プッシュスイッチを備えている。このプッシュスイッチは、ケースと、このケースに設けられた孔に挿入された透光性を有する操作ボタンと、この操作ボタンで押圧されて反転するとともに導電性を有する反転バネと、この反転バネに対応する第１，第２固定接点、および発光素子が実装された回路基板とを備えている。
【０００３】
反転バネの周囲では、シート状のスペーサが回路基板に粘着されている。反転バネおよびスペーサには、シートが積層され粘着されている。これにより、反転バネが反転および復元可能に回路基板に固定されている。
【０００４】
反転バネに積層された前記シートは白色シートからなる。ケースの内面は白色になっていて、光を反転バネ近傍の白色シートに向かって反射させるための突起が設けられている。つまり、発光素子の光をケースの内面と白色シートとの間で反射させて操作ボタンに導き、照光を行うようになっている。
【０００５】
この種のプッシュスイッチとしては特許文献１で開示されたものがある。
【特許文献１】特開平２−１５５１３６号公報
【発明の開示】
【発明が解決しようとする課題】
【０００６】
ところで、前述したようなプッシュスイッチを作製する場合、反転バネおよびスペーサがシートに貼り付けられたものを一部品として、すなわち反転バネ付きシートとして扱う。前術のプッシュスイッチにおいて、反転バネ付きシートはケースとの間で発光素子の光を反射させることを前提としたものである。このため、反転バネ付きシート単体では、効果的な導光を実現できない。
【０００７】
本発明は、前述の実状を考慮してなされたものであり、その目的は、プッシュスイッチの操作ボタンの照光のための導光を単体で効果的に行うことができる反転ばね付きシートおよびこれを備えたプッシュスイッチを提供することにある。
【課題を解決するための手段】
【０００８】
前述の目的を達成するために、本発明の反転バネ付きシートは次のように構成されている。
【０００９】
〔１〕本発明の反転バネ付きシートは、可動接点としての反転バネと、この反転バネを反転方向に押圧可能な操作ボタンと、前記反転バネの反転時にその反転バネを介して導通し前記反転バネの復元時に断絶する第１，第２固定接点、および、前記操作ボタンの照光のための発光素子が実装された回路基板とを備えたプッシュスイッチに採用される反転バネ付きシートであって、前記反転バネと、この反転バネの周囲に配置され前記回路基板に粘着されるスペーサと、前記反転バネおよび前記スペーサに積層され粘着された伸縮性を有する透光シートと、この透光シートにおける前記反転バネとは反対側の面に積層され粘着された導光シートとを備え、前記スペーサと前記透光シートとの粘着、および、前記導光シートと前記透光シートとの粘着が、透光性を有する粘着剤により行われ、前記スペーサが、透光性を有するスペーサ本体と、このスペーサ本体における前記透光シート側とは反対側の面に沿って形成され、前記スペーサ本体方向に光を反射可能な第１反射層とを備え、前記導光シートが、透光性を有する導光シート本体と、この導光シート本体における前記透光シート側とは反対側の面に沿って形成され、前記導光シート本体の方向に光を反射可能な第２反射層とを備え、前記導光シート本体が、前記発光素子からの光を導入する光導入部と、前記反転バネの近傍において前記操作ボタンの方向に光を放射することが可能な光放射部とを備えたことを特徴とする。
【００１０】
このように構成された本発明が採用されたプッシュスイッチでは、光導入部から導光シート本体に導入された発光素子の光が、第１，第２反射層間で反射しながらスペーサ本体内および導光シート本体内に広がり、反転バネの近傍において光放射部から操作ボタンの方向に放射される。つまり、操作ボタンの照光のための導光を単体で効果的に行うことができる。
【００１１】
〔２〕本発明の反転バネつきシートは、「〔１〕」に記載の発明において、前記第１，第２反射層が、金属の蒸着により設けられたものであることを特徴とするものであってもよい。
【００１２】
このように構成された本発明によれば、光反射性を有するシートの粘着により第１，第２反射層が設けられるものと比較して、第１，第２反射層を設けやすくすることができる。
【００１３】
〔３〕本発明の反転バネ付きシートは、「〔１〕」に記載の発明において、前記第１，第２反射層が、透光性を有する粘着剤で光反射性を有するシートを粘着することによって設けられたものであることを特徴とするものであってもよい。
【００１４】
〔４〕本発明の反転バネ付きシートは、「〔３〕」に記載の発明において、前記第２反射層が光反射性を有する反射シートからなり、前記導光シートにその厚さ方向に貫通する導光孔が設けられ、この導光孔が前記第１，第２反射層間に位置することを特徴とするものであってもよい。
【００１５】
このように構成された本発明は、導光孔の寸法や形状を変更することによって、発光素子の光の広がり方を調整することができる。
【００１６】
〔５〕本発明の反転バネ付きシートは、「〔１〕」〜「〔４〕」のいずれか１に記載の発明において、前記透光シートと前記反転バネとの粘着が透光性を有する粘着剤で行なわれ、前記反転バネの面が光反射性を有することを特徴とするものであってもよい。
【００１７】
このように構成された本発明によれば、反転バネが操作ボタンの方向に光を反射することになり、これによっても、操作ボタンの照光のための効果的な導光を行うことができる。
【００１８】
〔６〕本発明のプッシュスイッチは、「〔１〕」〜「〔５〕」のいずれか１に記載の反転バネ付きシートを備えたことを特徴とする。
【発明の効果】
【００１９】
本発明によれば、プッシュスイッチの操作ボタンの照光のための導光を単体で効果的に行うことができる。これにより、プッシュスイッチのケースに導光のために突起部を設けたり着色したりせずに済む。
【発明を実施するための最良の形態】
【００２０】
〔第１実施形態〕
図１は本発明のプッシュスイッチの第１実施形態の縦断面図である。図２は図１に示した第１実施形態からケースおよび操作ボタンを取り除いた状態の斜視図である。図３は図２に示した回路基板とスペーサと透光シートと導光シートと第１反射層と第２反射層との位置関係を示す拡大図である。図４は図１に示した反転バネ付きシートが反転バネを複数備えた状態と、これに対応する光源および第１，第２固定接点を実装した回路基板とを、それらの要部を断面にして示す斜視図である。図５は図４に示した反転バネ付きシート等の分解斜視図である。
【００２１】
第１実施形態は、ケース１と、このケース１に設けられた孔１ａに挿入された透光性を有する操作ボタン２と、反転バネ付きシート１０と、回路基板３とを備えている。
【００２２】
反転バネ付きシート１０は、操作ボタン２と回路基板３との間で回路基板３上に配置される反転バネ１１と、この反転バネ１１の周囲に配置されたシート状のスペーサ１２と、反転バネ１１およびスペーサ１２に積層され粘着された、伸縮性および透光性を有する樹脂、例えば透明なＰＥＴ（ポリエチレン‐テレフタレート）製シートからなる透光シート１５と、この透光シート１５における反転バネ１１とは反対側の面に積層され粘着された導光シート１６とを備えている。
【００２３】
反転バネ１１と透光シート１５との粘着、スペーサ１２と透光シート１５との粘着、および、導光シート１６と透光シート１５との粘着は、透光性を有する粘着剤により行われる。図において、２１は回路基板３とスペーサ１２とを粘着する粘着層であり、２２は透光シート１５に対して反転バネ１１とスペーサ１２とを粘着する粘着層であり、２３は透光シート１５と導光シート１６とを粘着する粘着層である。
【００２４】
回路基板３は、絶縁基板４と、この絶縁基板４に設けられた第１，第２固定接点５，６および発光素子７、例えばＬＥＤと備えている。
【００２５】
反転バネ１１はドーム状の弾性部材全体を金属、例えば銀でメッキしたものである。反転および復元方向から見た反転バネ１１の形状は、例えばほぼ円形である。この反転バネ１１は回路基板３上に配置されている。第１固定接点５は、回路基板３に対する反転バネ１１の投影面と同心の円環状に形成されていて、反転バネ１１の周縁部と接触している。第２固定接点６は、第１固定接点５の内周側にあり、回路基板３に対する反転バネ１１の投影面と同心の円形に形成されている。つまり、第１，第２固定接点５，６と反転バネ１１との位置関係は、反転バネ１１の反転時にその反転バネ１１を介して導通し、反転バネ１１の復元時に断絶するように設定されている。
【００２６】
操作ボタン２は、操作ボタン本体２ａと、この操作ボタン本体２ａの中央から反転バネ１１の頂部に向かって突出し透光シート１５に当接した当接部２ｂと、ケース１内において操作ボタン本体２ａから外側方に突出した鍔部２ｃとを有する。この鍔部２ｃが孔１ａの周縁に引っ掛かることによって、孔１ａから操作ボタン２が抜けることが防止されている。反転バネ１１の復元力は、操作ボタン２の重量を押し上げるのに十分な大きさに設定されている。
【００２７】
スペーサ１２は、透光性を有する樹脂、例えば透明なＰＥＴ製シートからなるスペーサ本体１３と、このスペーサ本体１３における透光シート１５側とは反対側の面に沿って形成されていて、スペーサ本体１３の方向に光を反射可能な第１反射層１４とを備えている。導光シート１６は、透光性を有する樹脂、例えば透明なＰＥＴ製シートからなる導光シート本体１７と、この導光シート本体１７における透光シート１５側とは反対側の面に沿って形成されていて、導光シート本体１７の方向に光を反射可能な第２反射層１８とを備えている。第１反射層１４は、スペーサ本体１３に金属を蒸着して、例えばアルミを蒸着して設けられたものである。第２反射層１８も、導光シート本体１７にアルミを蒸着して設けられたものである。
【００２８】
導光シート本体１７は、発光素子７からの光を導入する光導入部１９を有する。発光素子７の発光方向は、図１における左側から右側に向かう方向、同図１の紙面を表側から裏側に貫通する方向、および、同紙面を裏側から表側に貫通する方向の３方向に設定されている。光導入部１９は、３方向のすべての光を導入するために、発光素子７を三方から囲む形状に形成されている。図２において１９ａ，１９ｂは光導入部１９を構成する面であって、光導入部１９が囲む前記三方のうちの二方のそれぞれに対応する光導入面である。
【００２９】
導光シート１６はさらに、反転バネ１１の近傍において操作ボタンの方向に光を放射することが可能な光放射部２０を有する。この光放射部２０は孔からなり、その形状および寸法はケース１の孔１ａとほぼ同じである。
【００３０】
携帯電話等の電気器具の操作盤では、複数のプッシュスイッチが複数所定の配列で設けられている。回路基板３には、それらの複数のプッシュスイッチの配列に対応して、図４，５に示すように、複数の第１，第２固定接点５，６が実装されている。発光素子７は複数の第１，第２固定接点５，６で共有される。反転バネ付きシート１０は、第１，第２固定接点５，６の配列に対応して配列された複数の反転バネ１１を備えている。
【００３１】
このように構成された第１実施形態の作製では、第１，第２固定接点５，６の位置に反転バネ１１の位置を合わせ、また、発光素子７の位置に光導入部１９の位置を合わせて、反転バネ付きシート１０のスペーサ１２の第１反射層１４側の面を回路基板３に粘着させることが行われる。
【００３２】
第１実施形態では、発光素子７の光が光導入部１９から導光シート１６内に導入され、第１，第２反射層１４，１８間で反射しながらスペーサ１２の内部および導光シート１６の内部に広がり、反転バネ１１の近傍において光放射部２０から操作ボタン２の方向に放射される。操作ボタン２は透光性を有するので光放射部２０からの光を通す。これにより、操作ボタン２の照光が行われる。
【００３３】
第１実施形態によれば次の効果を得られる。
【００３４】
第１実施形態では、前述のように、発光素子７の光が光導入部１９から導光シート１６内に導入され、第１，第２反射層１４，１８間で反射しながらスペーサ１２の内部および導光シート１６の内部に広がり、反転バネ１１の近傍において光放射部２０から操作ボタン２の方向に放射される。つまり、反転バネ付きシート１０単体で操作ボタンの照光のための導光を単体で効果的に行うことができる。
【００３５】
第１実施形態では、反転バネ１１全体が銀メッキされたものからなるので、反転バネ１１の操作ボタン２側の面が光反射性を有する。これにより、光放射部２０から反転バネ１１方向に放射された光を操作ボタン２の方向に反射させることができ、操作ボタンの照光のための導光を効果的に行うことができ、プッシュスイッチのケースに導光のために突起部を設けたり着色したりせずに済む。
【００３６】
第１実施形態では、第１，第２反射層１４，１８が金属の蒸着により設けられたものだから、光反射性を有するシートの粘着により第１，第２反射層が設けられるもの（後述の第２実施形態）と比較して、第１，第２反射層を設けやすくすることができる。
【００３７】
なお、第１実施形態では、操作ボタン２が透光性を有し、この操作ボタン２を光が通過することによって操作ボタン２の照光が行われるが、本発明における照光はこれに限定されるものではなく、操作ボタン２の外周部近傍に位置するケース１の部分が透光性を有し、この部分を光が通過することによって操作ボタン２の照光が行われるようにしてもよい。また、ケース１と操作部材２の隙間を光が通過することによって操作部材２の照光が行われるものであってもよい。
【００３８】
〔第２実施形態〕
図６は本発明のプッシュスイッチの第２実施形態からケースおよび操作ボタンを取り除いた状態の斜視図である。図７は図６に示した回路基板とスペーサと透光シートと導光シートと第１反射層と第２反射層との位置関係を示す拡大図である。図８は図６に示した反転バネ付きシートが反転バネを複数備えた状態と、これに対応する光源および第１，第２固定接点を実装した回路基板とを、それらの要部を断面にして示す斜視図である。図９は図８に示した反転バネ付きシート等の分解斜視図である。図６〜９に示すもののうち、図１〜５に示したものと同等のものに対しては、図１〜５において付した符号と同じ符号を使用している。
【００３９】
第２実施形態の反転バネつきシート３０は、第１実施形態の反転バネ付きシート１０とは異なる第１，第２反射層３１，３２を備えている。第１反射層３１は、光反射性を有する反射シート（例えばアルミシート）を、スペーサ本体１３の透光シート１５側とは反対側（回路基板３側）の面に、透光性を有する粘着剤で粘着することによって設けられたものである。第２反射層３２も、光反射性を有する反射シート（例えばアルミシート）を、導光シート本体１７の透光シート１５側とは反対側（操作ボタン２側）の面に、透光性を有する粘着剤で粘着することによって設けられたものである。図７において、３３は第１反射層３１を構成する反射シートとスペーサ本体１３とを粘着する粘着層であり、３４は第２反射層３２を構成する反射シートと導光シート本体１７とを粘着する粘着層である。
【００４０】
このように構成された第２実施形態によっても、第１実施形態と同様に、反転バネ付きシート１０単体で操作ボタンの照光のための導光を単体で効果的に行うことができる。
【００４１】
なお、第２実施形態では、第１，第２反射層の両方が反射シートの粘着により設けられているが、いずれか一方のみが反射シートからなるものであってもよい。
【００４２】
図１０は図８に示した反転バネ付きシートの導光シートに導光部を設けたものの一例を、その要部を断面して示す斜視図である。図１１は図１０に示した反転バネ付きシート等の分解斜視図である。
【００４３】
前述の第２実施形態では、第２反射層３２が反射シートからなるので、図１０，１１に示すように、導光シート本体１７にその厚さ方向に貫通する導光孔３５を設けることが可能である。この導光孔３５内はその周囲の導光シート本体１７の部分とは光の屈折率が異なるから、この導光孔３５の寸法や形状を変更すれば、発光素子７の光の広がり方を調整することができる。特に、複数のプッシュスイッチが１つの発光素子７を共有する場合に、発光素子７と各プッシュスイッチの位置関係および各プッシュスイッチとの位置関係に応じて、導光孔３５の寸法や形状を変更することによって、複数の操作ボタン２に対して均一な明るさの照光を行ったり、任意の操作ボタン２に対する照光を明るくしたりすることができる。
【図面の簡単な説明】
【００４４】
【図１】本発明のプッシュスイッチの第１実施形態の縦断面図である。
【図２】図１に示した第１実施形態からケースおよび操作ボタンを取り除いた状態の斜視図である。
【図３】図２に示した回路基板とスペーサと透光シートと導光シートと第１反射層と第２反射層との位置関係を示す拡大図である。
【図４】図１に示した反転バネ付きシートが反転バネを複数備えた状態と、これに対応する光源および第１，第２固定接点を実装した回路基板とを、それらの要部を断面にして示す斜視図である。
【図５】図４に示した反転バネ付きシート等の分解斜視図である。
【図６】本発明のプッシュスイッチの第２実施形態からケースおよび操作ボタンを取り除いた状態の斜視図である。
【図７】図６に示した回路基板とスペーサと透光シートと導光シートと第１反射層と第２反射層との位置関係を示す拡大図である。
【図８】図６に示した反転バネ付きシートが反転バネを複数備えた状態と、これに対応する光源および第１，第２固定接点を実装した回路基板とを、それらの要部を断面にして示す斜視図である。
【図９】図８に示した反転バネ付きシート等の分解斜視図である。
【図１０】図８に示した反転バネ付きシートの導光シートに導光部を設けたものの一例を、その要部を断面して示す斜視図である。
【図１１】図１０に示した反転バネ付きシート等の分解斜視図である。
【符号の説明】
【００４５】
１    ケース
１ａ  孔
２    操作ボタン
２ａ  操作ボタン本体
２ｂ  当接部
２ｃ  鍔部
３    回路基板
４    絶縁基板
５    第１固定接点
６    第２固定接点
７    発光素子
１０  反転バネ付きシート
１１  反転バネ
１２  スペーサ
１３  スペーサ本体
１４  第１反射層
１５  透光シート
１６  導光シート
１７  導光シート本体
１８  第２反射層
１９  光導入部
１９ａ，１９ｂ  光導入面
２０  光放射部
２１，２２，２３  粘着層
３０  反転バネ付きシート
３１  第１反射層
３２  第２反射層
３３，３４  粘着層
３５  導光孔
【図１】
2008269927.tif 000003
【図２】
2008269927.tif 000004
【図３】
2008269927.tif 000005
【図４】
2008269927.tif 000006
【図５】
2008269927.tif 000007
【図６】
2008269927.tif 000008
【図７】
2008269927.tif 000009
【図８】
2008269927.tif 000010
【図９】
2008269927.tif 000011
【図１０】
2008269927.tif 000012
【図１１】
2008269927.tif 000013